【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
後処理を含むジョブ情報に基づいて記録媒体上に画像形成して該記録媒体を排出する画像形成手段と、排出された前記記録媒体に少なくとも前記ジョブ情報と前記画像形成に応じて設定される画像形成固有情報とを含む属性情報を書込んだRFIDタグを付帯するRFIDタグ付帯手段とを有する少なくとも１つの画像形成装置と、
前記RFIDタグから前記属性情報を読み取る読取手段と、前記読み取られた属性情報に基づいて前記記録媒体の後処理を制御する制御手段とを有する少なくとも１つの後処理装置とを有することを特徴とする画像形成システム。
【請求項２】
前記後処理装置は、前記記録媒体に付帯したRFIDタグに後処理が完了したことを示す履歴情報を含む後処理固有情報を前記属性情報として付加する書込手段を更に備えることを特徴とする請求項１記載の画像形成システム。
【請求項３】
前記画像形成固有情報は、画像形成を行なった時刻情報、画像濃度情報、両面印刷か片面印刷かを識別する印刷モード情報のうち少なくとも１つを含むことを特徴とする請求項１又は２記載の画像形成システム。
【請求項４】
前記後処理装置のうち少なくとも１つは、前記ジョブ情報と前記画像形成固有情報とに基づいて記録媒体の反りを補正して平滑化する反り補正手段を更に有することを特徴とする請求項３記載の画像形成システム。
【請求項５】
前記RFIDタグ付帯手段は、画像形成した記録媒体毎に前記RFIDタグを付帯することを特徴とする請求項１乃至４のいずれか１項に記載の画像形成システム。
【請求項６】
前記RFIDタグ付帯手段は、所定の条件を満足する記録媒体に前記RFIDタグを付帯することを特徴とする請求項１乃至４のいずれか１項に記載の画像形成システム。
【請求項７】
前記RFIDタグ付帯手段は、前記ジョブ情報と前記画像形成固有情報とに基づいて記録媒体の反り量を予測し、前記予測値が所定の反り量を超えた記録媒体に前記RFIDタグを付帯させることを特徴とする請求項６記載の画像形成システム。
【請求項８】
後処理を含むジョブ情報に基づいて記録媒体上に画像形成した後に、該記録媒体の後処理を行なう画像形成方法であって、
排出された前記記録媒体に少なくとも前記ジョブ情報と前記画像形成に応じて設定される画像形成固有情報とを含む属性情報を書込んだRFIDタグを付帯するRFIDタグ付帯工程と、
前記RFIDタグから前記属性情報を読み取り、前記読み取られた属性情報に基づいて前記記録媒体の後処理の制御を行なう後処理制御工程とを有することを特徴とする画像形成方法。
【請求項９】
画像形成された記録媒体に付帯されたRFIDタグから、後処理を含むジョブ情報と画像形成に応じて設定される画像形成固有情報とを含む属性情報を読み取る読取手段と、
前記読み取られた属性情報に基づいて前記記録媒体の後処理を制御する制御手段とを有することを特徴とする後処理装置。
【請求項１０】
前記制御手段に制御される、RFIDタグを付帯する前記記録媒体を供給する複数のトレイと、該複数のトレイからの前記記録媒体を丁合い処理する丁合い手段と、丁合い処理の終了を前記RFIDタグに書込む書込手段とを更に有することを特徴とする請求項９記載の後処理装置。
【請求項１１】
前記制御手段に制御される、RFIDタグを付帯する前記記録媒体を供給するトレイと、所定数の前記記録媒体毎に製本処理をする製本手段と、製本処理が終了すると前記RFIDタグの内容を消去する消去手段とを更に有することを特徴とする請求項９記載の後処理装置。
【手続補正２】
【補正対象書類名】明細書
【補正対象項目名】０００１
【補正方法】変更
【補正の内容】
【０００１】
本発明は画像形成方法及びそのシステム、特に、電子写真方式あるいは静電記録式などによる複写機・プリンタ・オンデマンド印刷機などの画像形成装置と製本や紙折りなど画像形成後の後処理を行なう後処理装置とを含む画像形成システムと画像形成方法に関し、更に、該画像形成システムを構成する後処理装置に関するものである。
【手続補正３】
【補正対象書類名】明細書
【補正対象項目名】００１２
【補正方法】変更
【補正の内容】
【００１２】
本発明の目的は、上記画像形成処理における問題点に鑑み、RFIDタグによって複数のオフラインの後処理装置を連携させるような複雑な印刷属性の受け渡しを可能にすることで、作業のさらなる自動化を図り、オンデマンド印刷における生産性を大幅に向上させることにある。本発明は、かかる画像形成方法及びそのシステム、更に、画像形成システムを構成する後処理装置を提供する。
【手続補正４】
【補正対象書類名】明細書
【補正対象項目名】００１３
【補正方法】変更
【補正の内容】
【００１３】
かかる課題を解決するために、本発明の画像形成システムは、後処理を含むジョブ情報に基づいて記録媒体上に画像形成して該記録媒体を排出する画像形成手段と、排出された前記記録媒体に少なくとも前記ジョブ情報と前記画像形成に応じて設定される画像形成固有情報とを含む属性情報を書込んだRFIDタグを付帯するRFIDタグ付帯手段とを有する少なくとも１つの画像形成装置と、前記RFIDタグから前記属性情報を読み取る読取手段と、前記読み取られた属性情報に基づいて前記記録媒体の後処理を制御する制御手段とを有する少なくとも１つの後処理装置とを有することを特徴とする。
【手続補正５】
【補正対象書類名】明細書
【補正対象項目名】００１４
【補正方法】変更
【補正の内容】
【００１４】
ここで、前記後処理装置は、前記記録媒体に付帯したRFIDタグに後処理が完了したことを示す履歴情報を含む後処理固有情報を前記属性情報として付加する書込手段を更に備える。また、前記画像形成固有情報は、画像形成を行なった時刻情報、画像濃度情報、両面印刷か片面印刷かを識別する印刷モード情報のうち少なくとも１つを含む。また、前記後処理装置のうち少なくとも１つは、前記ジョブ情報と前記画像形成固有情報とに基づいて記録媒体の反りを補正して平滑化する反り補正手段を更に有する。また、前記RFIDタグ付帯手段は、画像形成した記録媒体毎に前記RFIDタグを付帯する。また、前記RFIDタグ付帯手段は、所定の条件を満足する記録媒体に前記RFIDタグを付帯する。また、前記RFIDタグ付帯手段は、前記ジョブ情報と前記画像形成固有情報とに基づいて記録媒体の反り量を予測し、前記予測値が所定の反り量を超えた記録媒体に前記RFIDタグを付帯させる。
【手続補正６】
【補正対象書類名】明細書
【補正対象項目名】００１５
【補正方法】変更
【補正の内容】
【００１５】
又、本発明の画像形成方法は、後処理を含むジョブ情報に基づいて記録媒体上に画像形成した後に、該記録媒体の後処理を行なう画像形成方法であって、排出された前記記録媒体に少なくとも前記ジョブ情報と前記画像形成に応じて設定される画像形成固有情報とを含む属性情報を書込んだRFIDタグを付帯するRFIDタグ付帯工程と、前記RFIDタグから前記属性情報を読み取り、前記読み取られた属性情報に基づいて前記記録媒体の後処理の制御を行なう後処理制御工程とを有することを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２５
【補正方法】変更
【補正の内容】
【００２５】
本発明は、上記効果を奏する画像形成方法及びそのシステム、更に、画像形成システムを構成する後処理装置を提供できる。